(57)【要約】【課題】  公開されたカラオケ歌唱映像を再生する際に、利用者の所望に応じてカラオケ歌唱映像と共に出力する歌唱音声を選択可能とする。【解決手段】  カラオケ楽曲の演奏に伴う音声を録音する歌唱音声録音手段６１と、歌唱映像を録画する歌唱動画録画手段６２と、音声と歌唱動画とを一纏めとして歌唱映像を生成するカラオケ歌唱映像生成手段６３と、入力された音声について歌唱態様種別を特定する歌唱態様種別特定手段６４と、利用者が指定した歌唱映像と同一の楽曲識別情報及び歌唱態様種別を有する歌唱映像又は音声を抽出する録画録音データ抽出手段６５と、抽出した歌唱映像に含まれる音声等の中から利用者により指定された歌唱音声を特定する録音データ特定手段６６と、指定された歌唱映像の音声を特定された音声に代替して、歌唱映像を再生する録画録音データ再生手段６７とを備える。【選択図】図１
2014092593.tif 000002
【特許請求の範囲】
【請求項１】
カラオケ楽曲の演奏に伴い録音した歌唱音声と、録画した歌唱映像とともに録音した歌唱音声からなるカラオケ歌唱映像とを公開可能であり、前記カラオケ歌唱映像の歌唱動画と、前記歌唱音声とを時系列に同期させて再生可能なシステムであって、歌唱音声録音手段と、歌唱動画録画手段と、カラオケ歌唱映像生成手段と、歌唱態様種別特定手段と、録画録音データ管理手段と、録画録音データ公開手段と、カラオケ歌唱映像検索手段と、録画録音データ抽出手段と、録音データ特定手段と、録画録音データ再生手段と、を備え、
前記歌唱音声録音手段は、楽曲識別情報で特定されるカラオケ楽曲の演奏に伴う歌唱音声を録音し、
前記歌唱映像録画手段は、前記カラオケ楽曲の演奏に伴う利用者の歌唱映像を録画し、
前記カラオケ歌唱映像生成手段は、前記録音した歌唱音声と前記録画した歌唱動画とを一纏めとしたカラオケ歌唱映像を生成し、
前記歌唱態様種別特定手段は、任意の利用者が前記歌唱音声を録音する際に、所定のリファレンスデータとの比較に基づき、入力された音声について、少なくとも、男声パートや女声パート等の歌唱パート、Ａメロ、Ｂメロ、サビ等の歌唱区間、主旋律やハモリパート等のボーカル種別、歌唱区間外の音声入力等からなる歌唱態様種別のいずれに該当するかを特定し、
前記録画録音データ管理手段は、少なくとも、カラオケ楽曲の楽曲識別情報と、当該カラオケ楽曲のカラオケ歌唱映像又は歌唱音声と、当該カラオケ歌唱映像に含まれる歌唱音声又は当該歌唱音声により特定された歌唱態様種別とを関連付けて、録画録音データベースに登録して管理し、
前記録画録音データ公開手段は、少なくとも、前記録画録音データベースにて管理されているカラオケ楽曲の楽曲識別情報及び歌唱態様種別を検索項目として、カラオケ歌唱映像及び歌唱音声を検索可能に公開し、
前記カラオケ歌唱映像検索手段は、前記公開されたカラオケ歌唱映像の中から、利用者により指定された楽曲識別情報と同一のカラオケ歌唱映像を検索し、
前記録画録音データ抽出手段は、前記検索されたカラオケ歌唱映像の中から、利用者により指定されたカラオケ歌唱映像と同一の歌唱態様種別を有するカラオケ歌唱映像又は歌唱音声を抽出し、
前記録音データ特定手段は、前記抽出されたカラオケ歌唱映像に含まれる歌唱音声又は前記抽出された歌唱音声の中から利用者により指定された歌唱音声を特定し、
前記録画録音データ再生手段は、前記利用者により指定されたカラオケ歌唱映像の歌唱音声を前記特定された歌唱音声に代替して、当該カラオケ歌唱映像を再生する、
ことを特徴とするカラオケ歌唱映像の歌唱音声選択システム。
【請求項２】
前記録画録音データ抽出手段は、前記検索されたカラオケ歌唱映像の中から、利用者により指定された複数のカラオケ歌唱映像毎に、それぞれ同一の歌唱態様種別を有するカラオケ歌唱映像又は歌唱音声を抽出し、
前記録音データ特定手段は、それぞれ前記抽出された各カラオケ歌唱映像に含まれる歌唱音声又は歌唱音声の中から利用者により指定された歌唱音声を特定し、
前記録画録音データ再生手段は、前記利用者により指定された複数のカラオケ歌唱映像毎に、その歌唱音声を前記特定された歌唱音声に代替して、当該複数のカラオケ歌唱映像を同時に再生する、
ことを特徴とする請求項１に記載のカラオケ歌唱映像の歌唱音声選択システム。
【発明の詳細な説明】
【技術分野】
【０００１】
本発明は、録画したカラオケ歌唱映像を公開可能であり、既に公開されたカラオケ歌唱映像を視聴するためのシステムに関するものであり、特に、利用者の所望に応じてカラオケ歌唱映像と共に出力する歌唱音声を選択可能としたカラオケ歌唱映像の歌唱音声選択システムに関するものである。
【背景技術】
【０００２】
ネットワーク接続されたカラオケシステムには、動画共有システムとして、自らの歌唱姿態及び歌唱音声を録画して公開する機能を有しているものがある。この動画共有システムでは、予めメンバー登録した利用者がカラオケシステムにログインし、カラオケ歌唱映像の録画を行い、録画したカラオケ歌唱映像をサーバにアップロードして公開することができる。
【０００３】
カラオケ歌唱映像を公開する技術として、所望する歌唱感を有する歌唱者を検索することができるカラオケ装置が開示されている（特許文献１参照）。この特許文献１に記載されたカラオケ装置は、サーバ装置と接続されており、サーバ装置のＣＰＵが、通信部を介して歌唱分析データを受信したことを検知すると、受信した歌唱分析データと歌唱分析データベース記憶領域に記憶された歌唱分析データとを比較して、その一致度に応じて、歌唱分析データベース記憶領域から１以上の歌唱分析データを選択する。また、ＣＰＵは、選択した歌唱分析データと対応する識別情報を歌唱分析データベース記憶領域から読み出して、読み出した識別情報を、通信ネットワークを介してカラオケ装置に送信する。カラオケ装置のＣＰＵは、受信した識別情報が示す歌唱者を表示部に表示させる。
【０００４】
また、複数の歌唱の動画コンテンツを組み合わせたコンテンツの創作に好適な動画コンテンツを検索することができる動画コンテンツ検索装置に関する技術が開示されている（特許文献２参照）。この特許文献２に記載された動画コンテンツ検索装置は、複数のカラオケユーザそれぞれの歌唱に係る動画コンテンツデータと、歌唱を行ったカラオケユーザを識別するためのユーザ識別情報と、動画コンテンツデータに対する評価内容を含む動画評価情報を対応付けて記憶している。また、動画コンテンツ検索装置は、ユーザ識別情報に対応するカラオケユーザの歌唱に対する評価内容を含む歌唱評価情報を対応付けたテーブルと、特定の動画評価情報及び歌唱評価情報を検索条件とする動画コンテンツデータの検索要求を受信する受信手段と、受信手段にて検索要求を受信した場合、検索要求に係る特定の動画評価情報及び歌唱評価情報並びにテーブルに基づいて、動画コンテンツデータを検索する検索手段とを備えている。
【先行技術文献】
【特許文献】
【０００５】
【特許文献１】特開２００７−２５６６１８号公報
【特許文献２】特開２０１１−７５７０８号公報
【発明の概要】
【発明が解決しようとする課題】
【０００６】
上述したように、現在のカラオケシステムでは、公開されているカラオケ歌唱映像を視聴することができる。しかし、各カラオケ歌唱映像は、利用者の歌唱姿態を撮影した動画データと、その歌唱音声等を録音した音声データとを組み合わせたものであり、任意の動画データと任意の音声データとを組み合わせて出力することはできない。
【０００７】
ところで、カラオケ歌唱映像を視聴する利用者の嗜好は人それぞれに相違しており、例えば、カラオケ歌唱映像の歌唱姿態は気に入ったが、歌唱音声は気に入らない場合があり、当該カラオケ歌唱映像を再生したとしても、視聴の楽しさを十分に味わうことができないという問題があった。この点、同一の識別情報を有し、かつ同一の歌唱態様種別を有するカラオケ楽曲について、複数のカラオケ歌唱映像が公開されている。さらに、同一の識別情報を有し、かつ同一の歌唱態様種別を有するカラオケ楽曲について、カラオケ歌唱音声のみを公開している場合もある。したがって、同一の識別情報を有し、かつ同一の歌唱態様種別を有するカラオケ楽曲について、利用者が所望する歌唱動画と歌唱音声とを組み合わせて再生することができれば、カラオケ歌唱映像を視聴する際の楽しさをより一層高めることができる。
【０００８】
本発明は、上述した事情に鑑み提案されたもので、公開されたカラオケ歌唱映像を再生する際に、利用者の所望に応じてカラオケ歌唱映像と共に出力する歌唱音声を選択可能とすることにより、カラオケ歌唱映像を視聴する際の楽しさを高めることが可能なカラオケ歌唱映像の歌唱音声選択システムを提供することを目的とする。
【課題を解決するための手段】
【０００９】
本発明のカラオケ歌唱映像の歌唱音声選択システムは、上述した目的を達成するために提案されたもので、以下の特徴を有している。すなわち、本発明のカラオケ歌唱映像の歌唱音声選択システムは、カラオケ楽曲の演奏に伴い録音した歌唱音声と、録画した歌唱映像とともに録音した歌唱音声からなるカラオケ歌唱映像とを公開可能であり、カラオケ歌唱映像の歌唱動画と、歌唱音声とを時系列に同期させて再生可能なシステムであって、歌唱音声録音手段と、歌唱動画録画手段と、カラオケ歌唱映像生成手段と、歌唱態様種別特定手段と、録画録音データ管理手段と、録画録音データ公開手段と、カラオケ歌唱映像検索手段と、録画録音データ抽出手段と、録音データ特定手段と、録画録音データ再生手段とを備ええたことを特徴とするものである。
【００１０】
歌唱音声録音手段は、楽曲識別情報で特定されるカラオケ楽曲の演奏に伴う歌唱音声を録音するための手段である。歌唱映像録画手段は、カラオケ楽曲の演奏に伴う利用者の歌唱映像を録画するための手段である。カラオケ歌唱映像生成手段は、録音した歌唱音声と録画した歌唱動画とを一纏めとしたカラオケ歌唱映像を生成するための手段である。歌唱態様種別特定手段は、任意の利用者が歌唱音声を録音する際に、所定のリファレンスデータとの比較に基づき、入力された音声について、少なくとも、男声パートや女声パート等の歌唱パート、Ａメロ、Ｂメロ、サビ等の歌唱区間、主旋律やハモリパート等のボーカル種別、歌唱区間外の音声入力等からなる歌唱態様種別のいずれに該当するかを特定するための手段である。
【００１１】
録画録音データ管理手段は、少なくとも、カラオケ楽曲の楽曲識別情報と、当該カラオケ楽曲のカラオケ歌唱映像又は歌唱音声と、当該カラオケ歌唱映像に含まれる歌唱音声又は当該歌唱音声により特定された歌唱態様種別とを関連付けて、録画録音データベースに登録して管理するための手段である。録画録音データ公開手段は、少なくとも、録画録音データベースにて管理されているカラオケ楽曲の楽曲識別情報及び歌唱態様種別を検索項目として、カラオケ歌唱映像及び歌唱音声を検索可能に公開するための手段である。カラオケ歌唱映像検索手段は、公開されたカラオケ歌唱映像の中から、利用者により指定された楽曲識別情報と同一のカラオケ歌唱映像を検索するための手段である。
【００１２】
録画録音データ抽出手段は、検索されたカラオケ歌唱映像の中から、利用者により指定されたカラオケ歌唱映像と同一の歌唱態様種別を有するカラオケ歌唱映像又は歌唱音声を抽出するための手段である。録音データ特定手段は、抽出されたカラオケ歌唱映像に含まれる歌唱音声又は抽出された歌唱音声の中から利用者により指定された歌唱音声を特定するための手段である。録画録音データ再生手段は、利用者により指定されたカラオケ歌唱映像の歌唱音声を特定された歌唱音声に代替して、当該カラオケ歌唱映像を再生するための手段である。なお、歌唱音声とは、歌唱区間において利用者が歌唱した音声のみではなく、歌唱区間外において利用者が発した合いの手等の音声を含む概念である。
【００１３】
また、上述した構成に加えて、録画録音データ抽出手段は、検索されたカラオケ歌唱映像の中から、利用者により指定された複数のカラオケ歌唱映像毎に、それぞれ同一の歌唱態様種別を有するカラオケ歌唱映像又は歌唱音声を抽出するように機能させることが可能である。この場合、録音データ特定手段は、それぞれ抽出された各カラオケ歌唱映像に含まれる歌唱音声又は歌唱音声の中から利用者により指定された歌唱音声を特定するように機能する。また、録画録音データ再生手段は、利用者により指定された複数のカラオケ歌唱映像毎に、その歌唱音声を特定された歌唱音声に代替して、当該複数のカラオケ歌唱映像を同時に再生するように機能する。
【発明の効果】
【００１４】
本発明のカラオケ歌唱映像の歌唱音声選択システムによれば、カラオケ歌唱映像を再生する際に、利用者が指定したカラオケ歌唱映像の歌唱音声を他の歌唱音声に代替することができる。したがって、例えば、カラオケ歌唱映像の歌唱姿態は気に入ったが、歌唱音声は気に入らないような場合に、利用者が気に入った歌唱動画と、歌唱音声とを組み合わせて再生することにより、カラオケ歌唱映像を視聴する際の楽しさを高めることができる。
【００１５】
しかも、再生する歌唱動画と歌唱音声とは、男声パートや女声パート等の歌唱パート、Ａメロ、Ｂメロ、サビ等の歌唱区間、主旋律やハモリパート等のボーカル種別、歌唱区間外の音声入力等の歌唱態様種別が同一であるため、歌唱動画の歌唱者があたかも代替した歌唱音声を発しているように見え、違和感なくカラオケ歌唱映像を視聴することができる。
【図面の簡単な説明】
【００１６】
【図１】本発明の実施形態に係るカラオケ歌唱映像の歌唱音声選択システムを適用したカラオケ演奏端末の構成を示すブロック図。
【図２】録画録音データベースの構成を示す説明図。
【図３】録音データ選択画面の一例を示す模式図。
【図４】カラオケ歌唱映像の表示画面の一例を示す模式図。
【図５】カラオケ歌唱映像の表示画面の他の例を示す模式図。
【発明を実施するための形態】
【００１７】
以下、図面を参照して、本発明のカラオケ歌唱映像の歌唱音声選択システム（以下、歌唱音声選択システムと略記する）の実施形態について説明する。図１〜図５は本発明の実施形態に係る歌唱音声選択システムを示すもので、図１は歌唱音声選択システムを適用したカラオケ演奏端末の構成を示すブロック図、図２は録画録音データベースの構成を示す説明図、図３は録音データ選択画面の一例を示す模式図、図４は一人のカラオケ歌唱映像を表示する場合の表示画面を示す模式図、図５は二人のカラオケ歌唱映像を表示する場合の表示画面を示す模式図である。
【００１８】
＜システムの概要＞
本発明の実施形態に係る歌唱音声選択システム１０は、カラオケ楽曲の演奏に伴い録音した歌唱音声と、録画した歌唱映像とともに録音した歌唱音声からなるカラオケ歌唱映像とを公開可能であり、カラオケ歌唱映像の歌唱動画と、歌唱音声とを時系列に同期させて再生可能なシステムである。
【００１９】
さらに、録音された歌唱音声に基づいて、男声パートや女声パート等の歌唱パート、Ａメロ、Ｂメロ、サビ等の歌唱区間、主旋律やハモリパート等のボーカル種別、歌唱区間外の音声入力等からなる歌唱態様種別を自動的に特定することができるように構成しているため、特定した歌唱態様種別及びカラオケ楽曲の楽曲識別情報に基づいて、容易かつ確実に、利用者が指定したカラオケ歌唱映像と同一の歌唱態様種別及び楽曲識別情報を有するカラオケ歌唱映像または歌唱音声を探し出すことができるシステムとなっている。
【００２０】
なお、以下の説明において、プログラムとは、ＲＡＭ等に記憶され、ＣＰＵ等のハードウェアで実行されることにより、その機能を発揮するソフトウェアだけではなく、同等の機能を発揮することが可能な論理回路も含む概念である。
【００２１】
本発明の実施形態に係る歌唱音声選択システム１０は、図１に示すように、歌唱音声録音手段６１と、歌唱動画録画手段６２と、カラオケ歌唱映像生成手段６３と、歌唱態様種別特定手段６４と、録画録音データ管理手段２３と、録画録音データ公開手段２４と、カラオケ歌唱映像検索手段６８と、録画録音データ抽出手段６５と、録音データ特定手段６６と、録画録音データ再生手段６７とにより実現される。
【００２２】
本発明の実施形態に係る歌唱音声選択システム１０は、図１に示すように、録画録音データ管理サーバ２０と複数のカラオケ演奏端末３０とが、ルータ７０及び通信ネットワーク（本実施形態では、インターネット４０）を介して相互に接続されている。通信ネットワークは、公衆電話回線、専用電話回線、光通信回線、ＬＡＮ等を用いることができるが、ネットワークに対する第三者の侵入やデータの傍聴及び改竄が困難であるとともに、帯域を独占せずに安価な通信網であるという点で、インターネット４０により構成されるＶＰＮを利用することが好ましい。
【００２３】
＜カラオケ演奏端末＞
本発明の実施形態に係る歌唱音声選択システム１０を適用するカラオケ演奏端末３０は、図１に示すように、カラオケ本体３１、スピーカ３２、マイクロホン３３、表示装置３４、ビデオカメラ３５、ミキシングアンプ３６、カラオケリモコン装置３７を備えている。
【００２４】
＜カラオケリモコン装置＞
カラオケリモコン装置３７は、ユーザインタフェース機能を備えており、カラオケ本体３１のローカル送受信手段５６との間で有線方式又は無線方式によりデータの送受信を行うようになっている。このカラオケリモコン装置３７は、楽曲検索手段３７ａ、楽曲索引データベース３７ｂ、データ記憶部３７ｃ、入出力表示部３７ｄ、データの送受信を行うための電子回路及びプログラム（図示せず）を備えている。このカラオケリモコン装置３７に付帯するスイッチ類や、入出力表示部３７ｄに表示される各種のアイコン等を操作することにより、選曲操作等が行われる。
【００２５】
＜楽曲検索手段／楽曲索引データベース＞
楽曲検索手段３７ａは、利用者の指示に基づき、楽曲索引データベース３７ｂを参照して楽曲を検索するためのプログラムからなる。楽曲索引データベース３７ｂは、カラオケ演奏端末３０で演奏に供されるカラオケ楽曲について、その属性情報を記述したデータベースであり、例えば、楽曲番号・曲名・歌手名・歌い出し部分の歌詞・流行時期・音楽ジャンル区分・演奏形態・デュエット曲など、種々の属性情報がこれに含まれている。楽曲検索手段３７ａにより楽曲検索を行うとカラオケリモコン装置３７の入出力表示部３７ｄに、検索結果が一覧表示される。
【００２６】
＜データ記憶部＞
データ記憶部３７ｃは、選曲予約の履歴等を記憶するための領域で、図示しないが、選曲予約データ、選曲予約履歴データ等、各種のデータが記憶される。
【００２７】
＜入出力表示部＞
入出力表示部３７ｄは、例えば、タッチパネル式の液晶表示装置からなり、上述したように、楽曲検索手段３７ａにより検索を行う際の入力表示、検索結果の一覧表示、各種の案内表示等を行うと共に、表示されるアイコン等を操作することにより、入力指示を行うことができる。
【００２８】
＜マイクロホン／スピーカ＞
マイクロホン３３は、歌唱音声の入力を行うための装置である。マイクロホン３３から入力された歌唱音声信号は、ミキシングアンプ３６により、音楽再生制御手段５８から送出される演奏音声信号とミキシングされると共に増幅され、スピーカ３２へ出力される。なお、マイクロホン３３からの音声入力信号は、Ａ／Ｄコンバータ５９によりデジタル変換されて、歌唱態様種別特定手段６４における歌唱態様種別の特定等に使用される。
【００２９】
＜表示装置＞
表示装置３４は、カラオケ楽曲に関連した背景映像や歌詞テロップ等を表示するための装置で、例えば、液晶ディスプレイ等により構成される。
【００３０】
＜カラオケ本体＞
カラオケ本体３１は、図１に示すように、ネットワーク送受信手段５１、中央制御手段５２、ＲＯＭ５３、ＲＡＭ５４、ＨＤＤ５５、ローカル送受信手段５６、予約管理手段５７、音楽再生制御手段５８、Ａ／Ｄコンバータ５９、映像再生制御手段６０、歌唱音声録音手段６１、歌唱動画録画手段６２、カラオケ歌唱映像生成手段６３、歌唱態様種別特定手段６４、カラオケ歌唱映像検索手段６８、録画録音データ抽出手段６５、録音データ特定手段６６、録画録音データ再生手段６７を備えている。
【００３１】
＜中央制御手段＞
中央制御手段５２は、カラオケ本体３１を総合的に制御するための手段であり、例えばＣＰＵ及びその周辺機器により構成されており、ＣＰＵ等がＲＯＭ５３等に記憶されたプログラムに従って動作することにより、制御機能を発揮することができるようになっている。
【００３２】
＜ＲＯＭ／ＲＡＭ＞
ＲＯＭ５３は、カラオケ本体３１を構成する各機器を制御するためのプログラムデータや数値データを記憶するための機器で、例えば半導体メモリ等で構成される。また、ＲＡＭ５４は、プログラムや各種データを一時的に記憶する一時記憶領域として機能するもので、例えば半導体メモリ等で構成される。なお、物理的な半導体メモリによりＲＡＭ５４を構成するのではなく、ハードディスク記憶装置等を用いて仮想的なＲＡＭ５４を構成してもよい。本実施形態では、ＲＡＭ５４に予約待ち行列５４ａが記憶されるようになっている。この予約待ち行列５４ａは、選曲予約されたカラオケ楽曲について、演奏順に楽曲ＩＤを並べて構成されたデータテーブルであり、選曲者の利用者ＩＤ等、他の識別データが紐付けられている場合もある。
【００３３】
＜ＨＤＤ＞
ＨＤＤ５５は、大容量記憶装置として機能するもので、楽曲データベース５５ａ、映像データベース５５ｂ、歌唱映像データ５５ｃが格納されている。なお、ＨＤＤ５５に替えて、あるいはＨＤＤ５５と共に、データを書き替え可能なＤＶＤ等の大容量記憶装置を用いてもよい。
【００３４】
＜楽曲データベース／映像データベース＞
楽曲データベース５５ａは、複数のカラオケ楽曲について、演奏データ及び歌詞描出データが同期されて構成される楽曲データについて、楽曲ＩＤと対応付けてそれぞれ構成されたデータベースである。歌詞描出データは演奏に同期した歌詞文字の表示タイミングデータ及び色変わりデータを含んでいる。映像データベース５５ｂは、演奏されるカラオケ楽曲に対応した背景映像を、当該カラオケ楽曲の楽曲ＩＤに対応させた映像ファイルとして所定数格納したデータベースである。
【００３５】
＜歌唱映像データ＞
歌唱映像データ５５ｃは、カラオケ歌唱映像生成手段６３により生成したカラオケ歌唱映像のデータである。
【００３６】
＜送受信手段＞
ローカル送受信手段５６は、カラオケ本体３１とカラオケリモコン装置３７との間で、データの送受信を行うための電子回路及びプログラムからなる。本実施形態では、赤外線通信により、カラオケ本体３１とカラオケリモコン装置３７との間でデータの送受信が行われる。ネットワーク送受信手段５１は、カラオケ本体３１と録画録音データ管理サーバ２０との間で、データの送受信を行うための電子回路及びプログラムからなる。
【００３７】
＜予約管理手段＞
予約管理手段５７は、楽曲検索手段３７ａの機能を用いて検索され、選曲予約された楽曲ＩＤを演奏順に並べて予約待ち行列５４ａを生成し、この予約待ち行列５４ａをＲＡＭ５４に格納して管理するためのプログラムからなる。
【００３８】
＜音楽再生制御手段＞
音楽再生制御手段５８は、楽曲ＩＤや歌唱態様種別に基づいて楽曲データベース５５ａから抽出された演奏データを、ミキシングアンプ３６に出力するための電子回路からなる。なお、演奏データがＭＩＤＩ規格の演奏制御データである場合には、この演奏制御データに基づいて、音源データをデジタル再生すると共にアナログ変換してミキシングアンプ３６に出力する。上述したように、ミキシングアンプ３６は、マイクロホン３３から入力された歌唱者の歌唱音声信号と、音楽再生制御手段５８から送出される演奏音声信号とをミキシングすると共に、アンプ機能により増幅してスピーカ３２より出力させるための装置である。
【００３９】
＜映像再生制御手段＞
映像再生制御手段６０は、カラオケ楽曲の演奏中に、映像データベース５５ｂから抽出した背景映像データと、演奏データに含まれる歌詞描出データに基づく歌詞文字とを、当該カラオケ楽曲の演奏データに同期させて表示装置３４に出力するためのプログラムからなる。
【００４０】
＜歌唱音声録音手段＞
歌唱音声録音手段６１は、楽曲識別情報で特定されるカラオケ楽曲の演奏に伴う歌唱音声を録音音するためのプログラムからなる。すなわち、歌唱音声録音手段６１は、カラオケ楽曲が演奏される際に、マイクロホン３３から入力される歌唱音声を録音する。なお、歌唱音声には、歌唱区間において利用者が歌唱した音声と、歌唱区間外において利用者が発した合いの手等の音声を含んでいる。
【００４１】
＜歌唱動画録画手段＞
歌唱動画録画手段６２は、楽曲識別情報で特定されるカラオケ楽曲の演奏に伴う利用者の歌唱映像を録画するためのプログラムからなる。すなわち、歌唱動画録画手段６２は、ビデオカメラ３５から入力される映像信号を受信して、歌唱動画の録画を行う。
【００４２】
ビデオカメラ３５は、利用者の歌唱姿態を撮影するための装置であり、撮像レンズ及び撮像素子を主要な構成要素とし、フォーカシング機構、ズーム機構、パン・チルト機構等を備えていてもよい。ビデオカメラ３５で撮影が行われると、映像信号（ビデオ信号）が歌唱動画録画手段６２に入力される。
【００４３】
＜カラオケ歌唱映像生成手段＞
カラオケ歌唱映像生成手段６３は、録音した歌唱音声と録画した歌唱動画とを一纏めとしたカラオケ歌唱映像を生成するためのプログラムからなる。なお、歌唱音声録音手段６１と歌唱動画録画手段６２とを一つの手段として構成し、音声と歌唱動画とが結合したファイルを作成してもよい。
【００４４】
＜歌唱態様種別特定手段＞
歌唱態様種別特定手段６４は、任意の利用者が歌唱音声を録音する際に、所定のリファレンスデータとの比較に基づき、入力された音声について、少なくとも、男声パートや女声パート等の歌唱パート、Ａメロ、Ｂメロ、サビ等の歌唱区間、主旋律やハモリパート等のボーカル種別、歌唱区間外の音声入力等からなる歌唱態様種別のいずれに該当するかを特定するためのプログラムからなる。すなわち、歌唱態様種別特定手段６４は、Ａ／Ｄコンバータ５９を介して入力された歌唱音声を分析して、カラオケ楽曲の演奏に伴う歌唱位置、男声パートや女声パート等の歌唱パート、Ａメロ、Ｂメロ、サビ等の歌唱区間、主旋律やハモリパート等のボーカル種別、歌唱区間外の音声入力（例えば、合いの手）等を特定し、歌唱態様種別を付与する。
【００４５】
＜カラオケ歌唱映像検索手段＞
カラオケ歌唱映像検索手段６８は、公開されたカラオケ歌唱映像の中から、利用者により指定された楽曲識別情報と同一のカラオケ歌唱映像を検索するためのプログラムからなる。すなわち、カラオケ歌唱映像検索手段６８は、録音録画データ公開手段２４により公開されているカラオケ歌唱映像の中から、利用者が所望のカラオケ歌唱映像を検索するための機能を有しており、利用者の所望に応じて指定された楽曲識別情報に基づいて、該当するカラオケ歌唱映像を検出することができる。
【００４６】
＜録画録音データ抽出手段＞
録画録音データ抽出手段６５は、検索されたカラオケ歌唱映像の中から、利用者により指定されたカラオケ歌唱映像と同一の歌唱態様種別を有するカラオケ歌唱映像又は歌唱音声を抽出するためのプログラムからなる。すなわち、録画録音データ抽出手段６５は、録画録音データ管理サーバ２０にアクセスし、例えば、カラオケリモコン装置３７を利用した利用者の指定（検索ワードの入力）に基づいて、利用者により指定されたカラオケ歌唱映像と同一の歌唱態様種別を有するカラオケ歌唱映像又は歌唱音声を抽出する。検索ワードは、例えば、歌唱態様種別の他に、利用者のハンドルネーム、撮影日時、利用者の性別名等を組み合わせることができるようにしてもよい。この場合、利用者が所望の歌唱音声を効率よく選択できるようにするため、視聴機能を持たせてもよい。
【００４７】
また、図２に示すように、録画録音データ管理サーバ２０の歌唱映像データベース２５には、動画データが付帯していない歌唱音声のみのデータも存在する。したがって、利用者が所望する歌唱音声データを抽出する際には、この歌唱音声データについても抽出の対象となる。
【００４８】
カラオケ歌唱映像の抽出は、インターネット４０を介してネットワーク接続された利用者のパーソナルコンピュータ（図示せず）の機能により行ってもよい。この場合には、利用者のパーソナルコンピュータに録画録音データ抽出手段６５としての機能を持たせ、インターネット４０を介して録画録音データ管理サーバ２０に接続することにより、所望のカラオケ歌唱映像又は単独歌唱音声を抽出することができる。また、抽出したカラオケ歌唱映像のデータＩＤを２次元バーコードとしてパーソナルコンピュータに付帯した表示装置の表示画面に表示し、当該２次元バーコードをパーソナル携帯端末（例えば、携帯電話やスマートフォン）の読取機能を用いて読み取って記憶させることができる。これにより、カラオケ店等において、パーソナル携帯端末の選曲予約機能を用いて、記憶したデータＩＤを有するカラオケ歌唱映像（動画）又は歌唱音声を再生することができる。
【００４９】
また、録画録音データ抽出手段６５は、検索されたカラオケ歌唱映像の中から、利用者により指定された複数のカラオケ歌唱映像毎に、それぞれ同一の歌唱態様種別を有するカラオケ歌唱映像又は歌唱音声を抽出するように機能させてもよい。これにより、複数のカラオケ歌唱映像について、歌唱音声をそれぞれ他の歌唱音声に代替して再生することができる。
【００５０】
＜録音データ特定手段＞
録音データ特定手段６６は、抽出されたカラオケ歌唱映像に含まれる歌唱音声又は抽出された歌唱音声の中から利用者により指定された歌唱音声を特定するためのプログラムからなる。すなわち、録音データ特定手段６６は、録画録音データ管理サーバ２０にアクセスし、利用者の指定に基づいて検索して抽出されたカラオケ歌唱映像又は歌唱音声を特定する。このカラオケ歌唱映像に含まれるカラオケ歌唱音声又は単独のカラオケ歌唱音声が、利用者により指定されたカラオケ歌唱映像の代替音声となる。
【００５１】
また、複数のカラオケ歌唱映像について、歌唱音声をそれぞれ他の歌唱音声に代替して再生する場合には、録音データ特定手段６６は、それぞれ抽出された各カラオケ歌唱映像に含まれる歌唱音声又は歌唱音声の中から利用者により指定された歌唱音声を特定するように機能する。
【００５２】
＜録画録音データ再生手段＞
録画録音データ再生手段６７は、利用者により指定されたカラオケ歌唱映像の歌唱音声を特定された歌唱音声に代替して、当該カラオケ歌唱映像を再生するためのプログラムからなる。
【００５３】
また、複数のカラオケ歌唱映像について、歌唱音声をそれぞれ他の歌唱音声に代替して再生する場合には、録画録音データ再生手段６７は、利用者により指定された複数のカラオケ歌唱映像毎に、その歌唱音声を特定された歌唱音声に代替して、当該複数のカラオケ歌唱映像を同時に再生するように機能する。
【００５４】
図３及び図４に示す例では、再生するカラオケ歌唱映像の歌唱動画として、利用者によりデータＩＤ「０００２」の録画データ「Ｍ＊＊＊＊２」が指定された場合に、代替する歌唱音声として、データＩＤ「００１０」の録音データ「Ｖ＊＊＊１０」が選択され、当該歌唱動画を表示装置３４に表示すると共に、スピーカ３２から代替する歌唱音声を出力することになる。
【００５５】
図５に示す例は、再生するカラオケ歌唱映像が２つ指定された場合を示すもので、各カラオケ歌唱映像の歌唱音声が、利用者により選択された各歌唱音声に代替されて、指定された各カラオケ歌唱映像の歌唱動画を表示装置３４に表示すると共に、スピーカ３２から代替する歌唱音声を出力することになる。
【００５６】
なお、録音録画データ管理サーバ２０に、カラオケ歌唱映像検索手段６８、録画録音データ抽出手段６５、録音データ特定手段６６、録画録音データ再生手段６７の機能を持たせ、インターネット４０を介して録音録画データ管理サーバ２０に接続された利用者のパーソナルコンピュータ（図示せず）において、利用者により指定されたカラオケ歌唱映像の歌唱動画を表示すると共に、当該カラオケ歌唱映像の歌唱音声を、利用者により選択された歌唱音声に代替してスピーカ（図示せず）から出力してもよい。
【００５７】
さらに、インターネット４０を介して録音録画データ管理サーバ２０に接続された利用者のパーソナルコンピュータに、カラオケ歌唱映像検索手段６８、録画録音データ抽出手段６５、録音データ特定手段６６、録画録音データ再生手段６７の機能を持たせ、同様の処理を行ってもよい。
【００５８】
＜録画録音データ管理サーバ＞
録画録音データ管理サーバ２０は、カラオケ歌唱映像や歌唱音声を格納して公開するためのサーバで、カラオケ歌唱映像や歌唱音声を格納するＨＤＤ（図示せず）、サーバ制御手段２１、送受信手段２２、録画録音データ管理手段２３、録画録音データ公開手段２４、録画録音データベース２５を備えている。なお、カラオケ歌唱映像や歌唱音声を管理するための専用の録画録音データ管理サーバ２０を備えるのではなく、他のサーバに録画録音データ管理サーバ２０の機能を兼ね備えさせてもよい。また、仮想化技術により、一つのサーバを複数の機能を有するサーバとして機能させ、仮想化サーバの一つとして録画録音データ管理サーバ２０を構築することができる。
【００５９】
＜サーバ制御手段／送受信手段＞
サーバ制御手段２１は、録画録音データ管理サーバ２０を統括的に制御するための手段であり、ＣＰＵ及びその周辺機器を含んで構成され、ＣＰＵ等がＲＯＭ等に格納されたプログラムに従って動作することにより制御機能を発揮するようになっている。送受信手段２２は、各カラオケ演奏端末３０との間で、カラオケ歌唱映像や歌唱音声等の各種データの送受信を行うための手段であり、通信ネットワーク（インターネット４０）における通信方式の整合性を保つための通信回路やプログラムにより構成される。
【００６０】
＜録画録音データ管理手段＞
録画録音データ管理手段２３は、少なくとも、カラオケ楽曲の楽曲識別情報（例えば、楽曲名や楽曲ＩＤ）と、当該カラオケ楽曲のカラオケ歌唱映像又は歌唱音声と、当該カラオケ歌唱映像に含まれる歌唱音声又は当該歌唱音声により特定された歌唱態様種別とを関連付けて、録画録音データベース２５に登録して管理するためのプログラムからなる。録画録音データベース２５は、図２に示すように、例えば、録画録音データを識別するためのデータＩＤ、楽曲名、歌唱態様種別、録画データＩＤ、録音データＩＤ、利用者ＩＤ等が関連付けて構成されている。さらに、録画録音データベース２５の構成データとして、利用者のハンドルネーム、録画録音日時、利用者の性別、アーティスト名、作曲者名等を含んでいてもよい。
【００６１】
＜録画録音データ公開手段＞
録画録音データ公開手段２４は、少なくとも、録画録音データベース２５にて管理されているカラオケ楽曲の楽曲識別情報及び歌唱態様種別を検索項目として、カラオケ歌唱映像及び歌唱音声を検索可能に公開するためのプログラムからなる。すなわち、録画録音データ公開手段２４は、カラオケ演奏端末３０で生成したカラオケ歌唱映像又は歌唱音声を、所定の記憶領域（例えば、ＨＤＤ）に格納して管理する。
【００６２】
上述したように、公開されたカラオケ歌唱映像及び歌唱音声の検索及び抽出は、例えば、カラオケ演奏端末３０の機能として実施してもよいし、インターネット４０を介してネットワーク接続された利用者のパーソナルコンピュータ（図示せず）の機能として実施してもよい。この場合には、インターネット４０を介して、利用者のパーソナルコンピュータを録画録音データ管理サーバ２０に接続することにより、所望のカラオケ歌唱映像及び歌唱音声を検索して抽出することができる。
【００６３】
＜他の実施形態＞
本発明の歌唱音声選択システム１０及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。さらに、ネットワークを介して複数のカラオケ演奏端末３０を接続するのではなく、一つの店舗内において、ＬＡＮ接続された複数のカラオケ演奏端末３０と、当該店舗内に設置された録画録音データ管理サーバ２０とを利用して、歌唱音声選択システム１０を構成してもよい。
【符号の説明】
【００６４】
１０  歌唱音声選択システム
２０  録画録音データ管理サーバ
２１  サーバ制御手段
２２  送受信手段
２３  録画録音データ管理手段
２４  録画録音データ公開手段
２５  録画録音データベース
３０  カラオケ演奏端末
３１  カラオケ本体
３２  スピーカ
３３  マイクロホン
３４  表示装置
３５  ビデオカメラ
３６  ミキシングアンプ
３７  カラオケリモコン装置
３７ａ  楽曲検索手段
３７ｂ  楽曲索引データベース
３７ｃ  データ記憶部
３７ｄ  入出力表示部
４０  インターネット
５１  ネットワーク送受信手段
５２  中央制御手段
５３  ＲＯＭ
５４  ＲＡＭ
５４ａ  予約待ち行列
５５  ＨＤＤ
５５ａ  楽曲データベース
５５ｂ  映像データベース
５５ｃ  歌唱映像データ
５６  ローカル送受信手段
５７  予約管理手段
５８  音楽再生制御手段
５９  Ａ／Ｄコンバータ
６０  映像再生制御手段
６１  歌唱音声録音手段
６２  歌唱動画録画手段
６３  カラオケ歌唱映像生成手段
６４  歌唱態様種別特定手段
６５  録画録音データ抽出手段
６６  録音データ特定手段
６７  録画録音データ再生手段
６８  カラオケ歌唱映像検索手段
７０  ルータ
【図１】
2014092593.tif 000003
【図２】
2014092593.tif 000004
【図３】
2014092593.tif 000005
【図４】
2014092593.tif 000006
【図５】
2014092593.tif 000007